(57)【要約】      （修正有）【課題】簡単な構成で除塵だけでなく脱臭をも達成できる空気清浄機を実現する。【解決手段】一面に板状のフィルタ３を嵌め込んで取り付けた開口部１Ａを有し、底面に小さい空気取り入れ口１Ｂを設けた箱体１と、この空気取り入れ口１Ｂの内側に取り付けたファン４とからなる脱臭機であって、フィルタ３は、粉砕したざくろ石と無機バインダとを混合して型枠内に充填するとともに焼成して発泡させ、板状に成形されたもので構成する。【選択図】図３
2014233459.tif 000002
【特許請求の範囲】
【請求項１】
一面に板状のフィルタを嵌め込んで取り付けた大きな開口部を有し、その開口部が設けられている面とは異なる面に前記開口部よりも小さい空気口を設けた箱体と、前記空気口の内側に取り付けたファンとからなり、前記空気口または開口部から取り入れた空気を前記板状のフィルタを通して前記の大きな開口部または空気口から吹き出すようにした空気清浄機であって、前記箱体の下部に、この箱体を立設するためのスタンドを取り付け、あるいは前記箱体の上部に、この箱体を吊り下げるための吊り手を取り付けるとともに、前記板状のフィルタは、粉砕したざくろ石と、珪酸ソーダおよび珪酸カリウムを主体とする無機バインダとを混合して型枠内に充填するとともに焼成して発泡させ、板状に成形されたものであることを特徴とする空気清浄機。
【請求項２】
大きな開口部を有する吸引フードと、１枚または複数枚の板状のフィルタを嵌め込んで取り付けた本体と、吸引ファンとを管路で直列に接続し、前記吸引フードから採り入れた空気を前記１枚または複数枚の板状のフィルタを通過させた後に排出するように構成した空気清浄機であって、前記板状のフィルタは、粉砕したざくろ石と、珪酸ソーダおよび珪酸カリウムを主体とする無機バインダとを混合して型枠内に充填するとともに焼成して発泡させ、板状に成形されたものであることを特徴とする空気清浄機。
【請求項３】
前記板状のフィルタは、脱臭作用を有する触媒が含浸されていることを特徴とする請求項１または２に記載の空気清浄機。
【発明の詳細な説明】
【技術分野】
【０００１】
本発明は、室内や工場内等、臭気や塵埃の発生する場所に設置して空気を脱臭し、かつ除塵することのできる空気清浄機に関する。
【背景技術】
【０００２】
室内用の空気清浄機には従来からさまざまなものが提案されている。例えば、湿気を加えて室内の湿度を所定範囲に維持するもの、室内の浮遊塵埃を捕捉して除塵を行うもの、空気中の有害、あるいは不快な臭気成分を除去して脱臭を行うものなどが知られている。
【０００３】
特許文献１には、触媒と吸着材とのうち少なくとも一方を配置し、波状に屈曲されて成形され、さらに通気孔を有する脱臭フィルタを備える空気清浄機が記載されている。特許文献２には、ゼオライト粉末、セビオライト繊維、コロイダルシリカ等を含有するセラミック体からなる吸着剤を用いる空気清浄機が記載されている。また特許文献３には除塵フィルタ、あるいは脱臭フィルタの一方または双方を複数枚組み合わせた空気清浄機が記載されている。
【先行技術文献】
【特許文献】
【０００４】
【特許文献１】特開２００２−３５５３００号公報
【特許文献２】特開２０００−３３４２４３号公報
【特許文献３】特開昭６３−１３３３１７号公報
【発明の概要】
【発明が解決しようとする課題】
【０００５】
これらの空気清浄機においては、除塵作用、吸着などの脱臭作用をそれぞれ別個のフィルタで行うため、構造が複雑で全体寸法も大型となり、性能維持のための保守にも手間がかかるという問題点がある。
【０００６】
本発明は、簡単な構成で脱臭と除塵のいずれをも達成できる空気清浄機を実現することを目的とする。
【課題を解決するための手段】
【０００７】
請求項１に記載の本発明は、一面に板状のフィルタを嵌め込んで取り付けた大きな開口部を有し、この開口部が設けられた面とは異なる面に前記開口部よりも小さい空気口を設けた箱体と、前記空気口の内側に取り付けたファンとからなり、前記空気口または開口部から取り入れた空気を前記板状のフィルタを通して前記の大きな開口部または空気口から吹き出すようにした空気清浄機であって、前記箱体の下部に、この箱体を立設するためのスタンドを取り付け、あるいは前記箱体の上部に、この箱体を吊り下げるための吊り手を取り付けるとともに、前記板状のフィルタは、粉砕したざくろ石と、珪酸ソーダおよび珪酸カリウムを主体とする無機バインダとを混合して型枠内に充填するとともに焼成して発泡させ、板状に成形されたものであることを特徴とする空気清浄機である。
【０００８】
請求項２に記載の本発明は、大きな開口部を有する吸引フードと、１枚または複数枚の板状のフィルタを嵌め込んで取り付けた本体と、吸引ファンとを管路で直列に接続し、前記吸引フードから採り入れた周囲の空気を前記１枚または複数枚の板状のフィルタを通過させた後に排出するように構成された空気清浄機であって、前記板状のフィルタが、粉砕したざくろ石と、珪酸ソーダおよび珪酸カリウムを主体とする無機バインダとを混合して型枠内に充填するとともに焼成して発泡させ、板状に成形されたものであることを特徴とする空気清浄機である。
【０００９】
請求項３に記載の本発明は、請求項１または２の発明において、前記板状のフィルタは、脱臭作用を有する触媒を含浸されていることを特徴とする空気清浄機である。
【発明の効果】
【００１０】
本発明によれば、１種類の板状のフィルタにより、空気中の塵埃の捕捉ならびに室内空気の脱臭のいずれをも達成することができる。そのため、きわめて簡単な構造の室内用空気清浄機を実現でき、さらには室内や工場の環境を快適に保持して居住者や作業者の健康を推進することができるという、すぐれた効果を奏する。
【図面の簡単な説明】
【００１１】
【図１】本発明に係る第１の実施例の空気清浄機を前面から見た斜視図である。
【図２】本発明に係る第１の実施例の空気清浄機を背面から見た斜視図である。
【図３】本発明に係る第１の実施例の室内用空気清浄機の断面図である。
【図４】本発明に係る第２の実施例の室内用空気清浄機を前面から見た正面図である。
【図５】本発明に係る第３の実施例の空気清浄機の構成を示す概念図である。
【発明を実施するための形態】
【００１２】
特開２００４−６９０６０号公報に、粉砕したざくろ石と、珪酸ソーダおよび珪酸カリウムを主体とする無機バインダとを混合して型枠内に充填し、焼成して発泡、成形させてなる板状の断熱材が記載されている。この断熱材は断熱性、耐火性に優れているばかりでなく、内部に微小な空隙が連続しており、気体との接触表面積が大きいことから通気性にも優れ、フィルタとして使用することもできる。さらに本発明者の実験によれば空気中の臭気成分を吸着する作用が認められ、フィルタがそのまま、脱臭機としても効果を発揮することがわかった。
【００１３】
また、このフィルタに脱臭作用を有する触媒を含浸させると、一層脱臭効果がある。
【００１４】
この知見により、室内用の小型空気清浄機としては室内空気に１枚の板状のフィルタを通過させるだけで除塵ならびに脱臭の両作用を兼備する簡易な室内用空気清浄機を実現させることができる。また工場などの大型の空気清浄機の場合は、板状のフィルタを１枚ないし複数枚重ねることにより強力な除塵ならびに脱臭作用を実現させることができる。
【００１５】
ちなみに、ある化学会社の分析センターで測定したデータによれば、本発明で板状のフィルタと呼んでいる成形品は、水銀圧入法により測定した平均細孔半径は０．１１μｍであり、算出された気孔率は６０〜７７％であった。また多孔質であることからフィルタとしての圧力損失は１枚で１ｋＰａ、５枚でも１．５ｋＰａ程度で、きわめて小さい。
【実施例１】
【００１６】
本発明の第１の実施例を図面により説明する。図１は第１の実施例の室内用空気清浄機を前面から見た斜視図、図２は同じく背面より見た斜視図、図３は断面図である。箱体１は前面にフィルタ３を嵌め込んで取り付けた大きな開口部１Ａを有し、底面には図３に現れているように小さい空気口１Ｂを設けてある。前記開口部１Ａにはフィルタ３の表面を覆うように金網２が挿入されている。スイッチ７を入れると、箱体１の内部に収容されている空気取り入れ用のファン４（図３参照）が作動し、パイロットランプ８が点灯する。箱体１の下部にはこの室内用空気清浄機を立設するためのスタンド５を取り付けてある。
【００１７】
フィルタ３は粉砕したざくろ石と、珪酸ソーダおよび珪酸カリウムを主体とする無機バインダとを混合して型枠内に充填し、焼成して発泡させ、かつ板状に成形したもので、例えば平面寸法は３００ｍｍ×２００ｍｍ、厚さ４０ｍｍである。この材料はナイフ等で容易に切断できるからこの寸法に限らず、任意のサイズに裁断して使用できる。特に表面処理を施さなければほぼ白色である。室内側に吹き出すように使用すれば、長期間の使用でも表面が汚れることはほとんどない。
【００１８】
フィルタ３に手などが触れても火傷や怪我をするおそれはないが、表面の汚れ防止のため、金網２によって直接触れないようにすることが好ましい。
【００１９】
ファン４は連続運転とするため、消費電力の小さい小型のものでよい。
【００２０】
図３に示すように、箱体１の底部に設けた空気口１Ｂの内側にファン４が取り付けられており、空気口１Ｂから吸い込まれた室内空気がファン４によりフィルタ３に吹きつけられ、除塵ならびに脱臭され浄化された空気が箱体１の前面から室内に戻される。なお、図３では空気の流れを矢印で示してあるが、これと全く逆に流れるように、すなわちフィルタ３側から吸い込み、ファン４の方から吐き出すように使用してもよい。
【実施例２】
【００２１】
図４は本発明の第２の実施例の室内用空気清浄機を示す正面図である。箱体１、フィルタ３、ファン（図４では省略してある）などについては第１の実施例とほぼ同様である。この実施例ではこの室内用空気清浄機を壁面に吊り下げて使用するため、スタンド５の代わりに箱体１の上部に吊り手６を取り付けてある。室内の高い位置に設置することを考慮して、スイッチ７は操作しやすい位置に、パイロットランプ８は見やすい位置にそれぞれ取り付けることが好ましい。
【００２２】
このように本発明の室内用空気清浄機は床上に置いて使用しても、壁面に吊り下げて使用してもよく、また箱体１も縦長、横長、あるいは楕円形など、形状は任意である。
【実施例３】
【００２３】
本発明の第３の実施例を図５により説明する。図５はこの実施例の空気清浄機の構成を示す概念図である。臭気や塵埃の発生源を図に符号「Ａ」で示し、これに覆いかぶさるように吸引フード１０を設ける。その脇にダクト（管路）１１を介して板状のフィルタ３を収納した本体１２を配置し、その先に更にダクト１３を介して吸引ファン１４を設ける。吸引ファン１４を作動させると吸引フード１０から塵埃や臭気を含んだ空気が吸引され、板状のフィルタ３を通過して脱塵、脱臭されて系外に排出される。板状のフィルタ３はこれまでの実施例と同じものであり、必要に応じて１枚、ないし複数枚を重ねることにより除塵力、脱臭力を強化できる。板状のフィルタ３に脱臭作用のある触媒を含浸させれば効果は一層大きくなる。
【００２４】
幅６８０ｍｍ、奥行８３０ｍｍ、高さ８００ｍｍの本体内に厚さ２０ｍｍの板状のフィルタを５枚嵌め込んで取り付け、プラスチック再生工場の射出成形機から発生する塵埃と臭気を対象として本発明の空気清浄機を運転したところ、入口側、すなわち吸引フード１０の位置で４５０ｐｐｍと測定されたアンモニアおよびアセトアルデヒドは、大部分がフィルタに捕獲され、出口側、すなわち吸引ファン１４の出口ではわずかに３ｐｐｍであった。
【符号の説明】
【００２５】
１…箱体、  ２…金網、  ３…フィルタ、  ４…ファン、  ５…スタンド、  ６…吊り手、  ７…スイッチ、  ８…パイロットランプ、  １０…吸引フード、  １１，１３…ダクト（管路）、  １２…本体、  １４…吸引ファン。
【図１】
2014233459.tif 000003
【図２】
2014233459.tif 000004
【図３】
2014233459.tif 000005
【図４】
2014233459.tif 000006
【図５】
2014233459.tif 000007